(57)【要約】【課題】液晶パネルを冷却し適正な温度範囲に調整する場合において、騒音および製造コストを抑制すると共に、画像品質を向上する。【解決手段】冷却液収容部７１１ａが、供給口７３１ａから供給される冷却液Ｌを収容空間７２４ａに収容し液晶パネル６０１の表示面を冷却する。ここでは、冷却液収容部７１１ａが収容する冷却液Ｌを冷却液ポンプ６１１が排出口７３２ａから排出し、冷却液Ｌを供給口７３１ａから冷却液収容部７１１ａへ供給して収容空間７２４ａに収容させる。この時、供給口７３１ａから冷却液収容部７１１ａの液晶パネル６０１に対応する領域へ供給される冷却液Ｌの流路の一部を、流路遮断部７５１ａが遮る。これにより、冷却液Ｌ中の気泡が、流路遮断部７５１ａによって変えられた流路に沿って、収容空間７２４ａ中を流れて排出口７３２ａから排出され、表示面に気泡が混入することを抑制する。【選択図】図３
2006171300.tif 000002
【特許請求の範囲】
【請求項１】
光を照射する光源と、前記光源から照射された光を変調する液晶パネルと、前記光源により光が照射される前記液晶パネルの面を冷却液で冷却し、前記光源からの光が前記冷却液を透過する冷却部とを有し、前記液晶パネルと前記冷却液とを介した前記光源からの光を画像として表示する液晶表示装置であって、
前記冷却部は、
前記冷却液が供給される供給口と前記冷却液が排出される排出口とが形成され、前記供給口から供給される前記冷却液を収容空間で収容する収容部と、
前記収容部が収容する前記冷却液を前記排出口から排出すると共に、前記冷却液を前記供給口から前記収容部へ供給して前記収容空間に収容させる冷却液ポンプと、
前記冷却液ポンプによって前記供給口から前記収容部の前記液晶パネルに対応する領域へ供給される前記冷却液の流路の一部を遮る流路遮断部と
を含み、
前記収容部の前記収容空間が、前記光源によって光を照射される前記液晶パネルの面に対応するように配置され、
前記流路遮断部が前記収容部の前記供給口に対面するように配置されている
液晶表示装置。
【請求項２】
前記流路遮断部は、前記冷却液ポンプによって前記収容部の前記供給口から前記収容空間へ供給される前記冷却液の流れの向きに沿って、前記冷却液の流路を遮断する面が大きくなるように形成されている
請求項１に記載の液晶表示装置。
【請求項３】
前記液晶パネルへ照射する光と前記液晶パネルからの光との少なくとも一方を偏光する偏光板
を有し、
前記偏光板は、前記収容空間を介して前記液晶パネルに対面するように配置され、
前記冷却部は、前記収容空間にて収容される前記冷却液によって、前記液晶パネルと共に前記偏光板を冷却する
請求項１に記載の液晶表示装置。
【請求項４】
前記偏光板の前記収容空間の側に設けられ、前記収容空間に収容される前記冷却液との接触から前記偏光板を保護する偏光板保護部
を有し、
前記冷却部は、前記偏光板保護部を介して前記偏光板を、前記収容空間にて収容される前記冷却液を用いて冷却する
請求項３に記載の液晶表示装置。
【請求項５】
前記収容部は、
前記冷却液が供給される第１供給口と前記冷却液が排出される第１排出口とが形成され、前記第１供給口から供給される前記冷却液を第１収容空間で収容する第１収容部と、
前記冷却液が供給される第２供給口と前記冷却液が排出される第２排出口とが形成され、前記第２供給口から供給される前記冷却液を第２収容空間で収容する第２収容部と
を含み、
前記第１収容部の前記第１収容空間が、前記光源によって光を照射される前記液晶パネルの一方の面に対応するように配置されると共に、
前記第２収容部の前記第２収容空間が、前記光源によって光を照射される前記液晶パネルの他方の面に対応するように配置されており、
前記流路遮断部は、
前記冷却液ポンプによって前記第１供給口から前記第１収容部の前記液晶パネルに対応する領域へ供給される前記冷却液の流路の一部を遮る第１流路遮断部と、
前記冷却液ポンプによって前記第２供給口から前記第２収容部の前記液晶パネルに対応する領域へ供給される前記冷却液の流路の一部を遮る第２流路遮断部と
を含み、
前記第１流路遮断部が前記第１供給口と対面するように配置されると共に、
前記第２流路遮断部が前記第２供給口と対面するように配置されている
請求項１に記載の液晶表示装置。
【請求項６】
前記第１収容部の前記第１収容空間と前記第２収容部の前記第２収容空間との間で前記冷却液が通るように、前記第１収容部の前記第１排出口と前記第２収容部の前記第２供給口とを連結させる連結部
を有し、
前記冷却液ポンプは、前記第１供給口から前記第１収容部へ前記冷却液を供給すると共に、前記第１収容部が収容する前記冷却液を、前記連結部を介して前記第２収容部へ供給し、前記第２収容部が収容する前記冷却液を前記第２排出口から排出する
請求項５に記載の液晶表示装置。
【請求項７】
前記光源は、前記第１収容部側から前記液晶パネルを介して前記第２収容部側に出射するように光を照射する
請求項６に記載の液晶表示装置。
【請求項８】
前記流路遮断部は、表面粗さにおける最大高さが１０μｍ以下になるように形成されている
請求項１に記載の液晶表示装置。
【請求項９】
前記液晶パネルにおける前記冷却液に接触する表面は、表面粗さにおける最大高さが２μｍ以下になるように形成されている
請求項１に記載の液晶表示装置。
【請求項１０】
前記冷却部は、
前記収容部が収容する前記冷却液を前記排出口から受け、当該冷却液の熱を放熱して冷却する放熱部
を有し、
前記冷却液ポンプは、前記収容部が収容する前記冷却液を前記排出口から前記放熱部へ排出すると共に、前記放熱部により冷却された前記冷却液を前記供給口から前記収容部へ供給する
請求項１に記載の液晶表示装置。
【請求項１１】
前記光源から照射され前記液晶パネルにより変調された光を投射する投射部
を有する
請求項１に記載の液晶表示装置。
【請求項１２】
光源により光が照射される液晶パネルの面を冷却液で冷却し、前記光源からの光が前記冷却液を透過する冷却装置であって、
前記冷却液が供給される供給口と前記冷却液が排出される排出口とが形成され、前記供給口から供給される前記冷却液を収容空間で収容する収容部と、
前記収容部が収容する前記冷却液を前記排出口から排出すると共に、前記冷却液を前記供給口から前記収容部へ供給して前記収容空間に収容させる冷却液ポンプと、
前記冷却液ポンプによって前記供給口から前記収容部の前記液晶パネルに対応する領域へ供給される前記冷却液の流路の一部を遮る流路遮断部と
を含み、
前記収容部の前記収容空間が、前記光源によって光を照射される前記液晶パネルの面に対応するように配置され、
前記流路遮断部が前記供給口と対面するように配置されている
冷却装置。
【請求項１３】
光を照射する光源と、前記光源から照射された光を変調する液晶パネルと、前記光源により光が照射される前記液晶パネルの面を冷却液で冷却し、前記光源からの光が前記冷却液を透過する冷却部とを有し、前記液晶パネルと前記冷却液とを介した前記光源からの光を画像として表示する液晶表示装置であって、
前記冷却部は、
前記冷却液が供給される第１供給口と前記冷却液が排出される第１排出口とが形成され、前記第１供給口から供給される前記冷却液を第１収容空間で収容する第１収容部と、
前記冷却液が供給される第２供給口と前記冷却液が排出される第２排出口とが形成され、前記第２供給口から供給される前記冷却液を第２収容空間で収容する第２収容部と、
前記第１収容部の前記第１収容空間と前記第２収容部の前記第２収容空間との間で前記冷却液が通るように、前記第１収容部の前記第１排出口と前記第２収容部の前記第２供給口とを連結させる連結部と、
前記第１供給口から前記第１収容部へ前記冷却液を供給すると共に、前記第１収容部が収容する前記冷却液を、前記連結部を介して前記第２収容部へ供給し、前記第２収容部が収容する前記冷却液を前記第２排出口から排出する冷却液ポンプと
を有し、
前記第１収容部の前記第１収容空間が、前記光源によって光を照射される前記液晶パネルの一方の面に対応するように配置されると共に、
前記第２収容部の前記第２収容空間が、前記光源によって光を照射される前記液晶パネルの他方の面に対応するように配置されている
液晶表示装置。
【発明の詳細な説明】
【技術分野】
【０００１】
本発明は、液晶表示装置および冷却装置に関し、特に、光源により光が照射される液晶パネルの面を冷却液で冷却し、その光源からの光が冷却液を透過する液晶表示装置および冷却装置に関する。
【背景技術】
【０００２】
液晶表示装置は、一対の基板の間に液晶層が封入された液晶パネルを有し、光源から照射された光を液晶パネルが変調し、その変調した光によって画像の表示を行う。このような液晶表示装置は、ＣＲＴ（Ｃａｔｈｏｄｅ  Ｒａｙ  Ｔｕｂｅ）よりも、薄型、軽量、低消費電力といった利点を有する。このため、液晶表示装置は、パーソナルコンピュータ、携帯電話、デジタルカメラなどの電子機器において直視型の表示装置として使用され、また、プロジェクタなどの投射型の表示装置として使用されている。
【０００３】
ところで、液晶表示装置は、視認性を向上させるため、大きな画面で画像を表示することが要請されている。
【０００４】
大画面での表示を行う際、直視型の液晶表示装置においては、液晶パネルの表示面の大きさがそのまま画面になる。このため、大型の液晶パネルを用いるか、または、複数の液晶パネルを組み合わせることによって、画像の表示面を大きくしている。よって、直視型の液晶表示装置においては、大きな画面での表示を行うために装置が高価になる場合がある。
【０００５】
一方、投射型の液晶表示装置は、光源から小型の液晶パネルに光を照射し、液晶パネルに表示される画像をレンズで拡大投影して大画面での表示を実現している。このため、投射型の液晶表示装置において大きな画面表示を行う際には、直視型よりも安価に装置を製造することができる。よって、大画面表示する際には、直視型よりも投射型の液晶表示装置の方が重用されている。
【０００６】
投射型の液晶表示装置は、たとえば、単板式と３板式とに分類される。単板式は、１枚の液晶パネルを用いて空間的または時間的に３原色を分解して画像を表示している。一方、３板式は、３原色のそれぞれの画像を３枚の液晶パネルのそれぞれで表示した後に、その３枚の液晶パネルの画像をダイクロイックプリズムによって１枚の画像に合成し、拡大投射してスクリーンに表示している。
【０００７】
このような投射型の液晶表示装置において画像をスクリーンに投影する際には、光源からの光のうちの大部分が、スクリーンに投影されて表示される画像に寄与せずに、液晶表示装置の液晶パネルなどの各構成部材に吸収されて熱が発生する。
【０００８】
液晶表示装置において、液晶パネルは、適正な性能を発揮可能な温度範囲が限定されることが知られている。たとえば、液晶パネルが適正な温度範囲を超える温度になった場合には、液晶パネルの液晶層の特性が変化する場合や液晶層中に気泡が発生する場合があり、画像品質が劣化する場合がある。また、適正な温度範囲以外の温度に液晶パネルが長時間保持された場合には、その性能が劣化して、装置の寿命が低下する場合がある。このため、大きな光強度の光が液晶パネルに照射される投射型の液晶表示装置においては、冷却装置が設置され、液晶パネルを冷却している。
【０００９】
液晶パネルを冷却する冷却装置として、空冷方式（たとえば、特許文献１参照）や、液冷方式（たとえば、特許文献２参照）が知られている。
【特許文献１】特開２００３−３０２６１９号公報
【特許文献２】特開平０５−２６４９４７号公報
【発明の開示】
【発明が解決しようとする課題】
【００１０】
前者の空冷方式においては、冷却ファンを用いて冷却風を液晶パネルの表示面に供給することにより、液晶パネルを冷却する。このため、本方式では、冷却ファンの駆動音が騒音になる不具合があった。特に、投射型の液晶表示装置の場合においては、装置の小型化の要望に対応するように液晶パネルが小型化され、単位面積当たりの発熱量が増している。このため、冷却効果を高めるために、冷却ファンを大型化しており、この冷却ファンの騒音による不具合が顕著になっていた。また、本方式においては、冷却ファンからの冷却風の送風によって、冷却風中のダストが液晶パネルの表示面に付着する機会が増えているため、そのダストによって画像品質が劣化する場合があった。その他に、本方式においては、効率的に熱を放熱するために、高い熱伝導率であるサファイアガラス基板を用いて偏光板を固定する場合があり、製造コストが高くなる不具合があった。
【００１１】
一方、液冷方式においては、ポンプを用いて冷却液を液晶パネルの表示面に供給することにより、液晶パネルを冷却する。本方式では、液晶パネルと冷却液とを介した光を画像として表示する。本方式においては、冷却液を用いているために、冷却風の場合よりも高い冷却効率で液晶パネルを冷却可能であって、駆動音による騒音を抑制することができる。そして、これに伴って、本方式においては、偏光板を固定する際に、サファイアガラス基板を用いる必要が無くなって、安価なガラス基板を用いることが可能になり、製造コストを抑制することができる。
【００１２】
しかしながら、特に、投射型の液晶表示装置においては、前述のように、高い冷却効果が必要となっているために、液冷方式における従前の方法では、冷却効率が低く十分でない場合があった。
【００１３】
また、その他に、液冷方式では、冷却液の循環によって冷却液中に気泡が混在し、その気泡によって画像品質が低下する場合があった。たとえば、１０μｍ幅の１画素に対して、直径１００〜３００μｍの気泡が冷却液の中に混入する場合があり、気泡と冷却液との光透過率が異なるために、気泡を透過した光と冷却液を透過した光との強度が異なって、表示画像にムラが発生する不具合を生ずる場合があった。特に、投射型の液晶表示装置においては、画像をスクリーンに拡大し表示するため、画像品質が低下する不具合が顕著になる場合があった。
【００１４】
このように、液晶表示装置の液晶パネルを冷却して適正な温度範囲に調整する場合には、冷却効率が低く装置の信頼性を向上させることが困難な場合があると共に、騒音および製造コストの抑制や、画像品質を向上させることが困難な場合があった。
【００１５】
したがって、本発明は、液晶パネルを冷却し適正な温度範囲に調整する場合において、冷却効率が向上し装置の信頼性を向上させると共に、騒音および製造コストを抑制することができ、画像品質を向上することが可能な液晶表示装置および冷却装置を提供することを目的とする。
【課題を解決するための手段】
【００１６】
上記目的を達成するために、本発明の液晶表示装置は、光を照射する光源と、前記光源から照射された光を変調する液晶パネルと、前記光源により光が照射される前記液晶パネルの面を冷却液で冷却し、前記光源からの光が前記冷却液を透過する冷却部とを有し、前記液晶パネルと前記冷却部とを介した前記光源からの光を画像として表示する液晶表示装置であって、前記冷却部は、前記冷却液が供給される供給口と前記冷却液が排出される排出口とが形成され、前記供給口から供給される前記冷却液を収容空間で収容する収容部と、前記収容部が収容する前記冷却液を前記排出口から排出すると共に、前記冷却液を前記供給口から前記収容部へ供給して前記収容空間に収容させる冷却液ポンプと、前記冷却液ポンプによって前記供給口から前記収容部の前記液晶パネルに対応する領域へ供給される前記冷却液の流路の一部を遮る流路遮断部とを含み、前記収容部の前記収容空間が、前記光源によって光を照射される前記液晶パネルの面に対応するように配置され、前記流路遮断部が前記収容部の前記供給口に対面するように配置されている。
【００１７】
本発明においては、光源によって光を照射される液晶パネルの面に対応するように配置されている収容部の収容空間に供給口から冷却液が供給され、その収容空間に収容される冷却液を用いて液晶パネルを冷却する。ここでは、収容部が収容する冷却液を冷却液ポンプが収容部の排出口から排出すると共に、その冷却液ポンプが冷却液を供給口から収容部へ供給して、収容空間に収容させる。この時、冷却液ポンプによって供給口から収容部の液晶パネルに対応する領域へ供給される冷却液の流路の一部を、供給口と対面するように配置されている流路遮断部が遮り、供給口からの冷却液の流路を流路遮断部の周囲に変える。これにより、冷却液中の気泡が、流路遮断部によって分散されて収容空間に供給されると共に、流路遮断部によって変えられた流路に沿って、収容空間中を流れて排出口から排出される。
【００１８】
上記目的を達成するために、本発明の冷却装置は、光源により光が照射される液晶パネルの面を冷却液で冷却し、前記光源からの光が前記冷却液を透過する冷却装置であって、前記冷却液が供給される供給口と前記冷却液が排出される排出口とが形成され、前記供給口から供給される前記冷却液を収容空間で収容する収容部と、前記収容部が収容する前記冷却液を前記排出口から排出すると共に、前記冷却液を前記供給口から前記収容部へ供給して前記収容空間に収容させる冷却液ポンプと、前記冷却液ポンプによって前記供給口から前記収容部の前記液晶パネルに対応する領域へ供給される前記冷却液の流路の一部を遮る流路遮断部とを含み、前記収容部の前記収容空間が、前記光源によって光を照射される前記液晶パネルの面に対応するように配置され、前記流路遮断部が前記供給口と対面するように配置されている。
【００１９】
本発明においては、光源によって光を照射される液晶パネルの面に対応するように配置されている収容部の収容空間に供給口から冷却液が供給され、その収容空間に収容される冷却液を用いて液晶パネルを冷却する。ここでは、収容部が収容する冷却液を冷却液ポンプが収容部の排出口から排出すると共に、その冷却液ポンプが冷却液を供給口から収容部へ供給して、収容空間に収容させる。この時、冷却液ポンプによって供給口から収容部の液晶パネルに対応する領域へ供給される冷却液の流路の一部を、供給口と対面するように配置されている流路遮断部が遮り、供給口からの冷却液の流路を流路遮断部の周囲に変える。これにより、冷却液中の気泡が、流路遮断部によって分散されて収容空間に供給されると共に、流路遮断部によって変えられた流路に沿って、収容空間中を流れて排出口から排出される。
【００２０】
上記目的を達成するために、本発明の液晶表示装置は、光を照射する光源と、前記光源から照射された光を変調する液晶パネルと、前記光源により光が照射される前記液晶パネルの面を冷却液で冷却し、前記光源からの光が前記冷却液を透過する冷却部とを有し、前記液晶パネルと前記冷却部とを介した前記光源からの光を画像として表示する液晶表示装置であって、前記冷却部は、前記冷却液が供給される第１供給口と前記冷却液が排出される第１排出口とが形成され、前記第１供給口から供給される前記冷却液を第１収容空間で収容する第１収容部と、前記冷却液が供給される第２供給口と前記冷却液が排出される第２排出口とが形成され、前記第２供給口から供給される前記冷却液を第２収容空間で収容する第２収容部と、前記第１収容部の前記第１収容空間と前記第２収容部の前記第２収容空間との間で前記冷却液が通るように、前記第１収容部の前記第１排出口と前記第２収容部の前記第２供給口とを連結させる連結部と、前記第１供給口から前記第１収容部へ前記冷却液を供給すると共に、前記第１収容部が収容する前記冷却液を、前記連結部を介して前記第２収容部へ供給し、前記第２収容部が収容する前記冷却液を前記第２排出口から排出する冷却液ポンプとを有し、前記第１収容部の前記第１収容空間が、前記光源によって光を照射される前記液晶パネルの一方の面に対応するように配置されると共に、前記第２収容部の前記第２収容空間が、前記光源によって光を照射される前記液晶パネルの他方の面に対応するように配置されている。
【００２１】
本発明においては、冷却液ポンプは、第１収容部の第１供給口から第１収容空間へ冷却液を供給すると共に、第１収容空間が収容する冷却液を、連結部を介して第２収容部の第２収容空間へ供給し、第２収容空間で収容する冷却液を第２排出口から排出する。そして、第１収容部の第１収容空間に収容される冷却液を用いて、液晶パネルの一方の面から液晶パネルを冷却すると共に、第２収容部の第２収容空間に収容される冷却液を用いて、液晶パネルの他方の面から液晶パネルを冷却する。
【発明の効果】
【００２２】
本発明によれば、本発明は、液晶パネルを冷却し適正な温度範囲に調整する場合において、冷却効率が向上し装置の信頼性を向上させると共に、騒音および製造コストを抑制することができ、画像品質を向上することが可能な液晶表示装置および冷却装置を提供することができる。
【発明を実施するための最良の形態】
【００２３】
以下より、本発明にかかる実施形態の一例について説明する。
【００２４】
＜実施形態１＞
図１は、本発明にかかる実施形態１の液晶表示装置を示す構成図である。
【００２５】
図１に示すように、本実施形態の液晶表示装置５００は、３板式の投射型であり、光源５０１と、第１レンズアレイ５０３と、第１反射ミラー５０４と、第２レンズアレイ５０５と、第１ダイクロイックミラー５１１と、第２反射ミラー５１２と、第２ダイクロイックミラー５２１と、第１リレーレンズ５３１と、第３反射ミラー５３２と、第２リレーレンズ５３３と、第４反射ミラー５３４と、第１液晶表示部５４１Ｒと、第２液晶表示部５４１Ｇと、第３液晶表示部５４１Ｂと、第１コンデンサレンズ５５１Ｒと、第２コンデンサレンズ５５１Ｇと、第３コンデンサレンズ５５１Ｂと、ダイクロイックプリズム５６１と、投射レンズユニット５７１とを有する。
【００２６】
本実施形態の液晶表示装置５００の各部について、順次、説明する。
【００２７】
光源５０１は、ランプ５０１ａとリフレクタ５０１ｂとを有し、光を照射する。ランプ５０１ａは、たとえば、メタルハライドランプを用いて構成されており、放射状に白色の光線を出射する。リフレクタ５０１ｂは、反射面を有しており、その反射面がランプ５０１ａからの光線を反射する。
【００２８】
第１レンズアレイ５０３は、複数のレンズがマトリクス状に配列された構成をしており、光源５０１からの光を複数の光束に分割する。
【００２９】
第１反射ミラー５０４は、第１レンズアレイ５０３を透過した光を反射して、第２レンズアレイ５０５に偏向するために設けられている。
【００３０】
第２レンズアレイ５０５は、第１レンズアレイ５０３と同様な構成であり、複数のレンズがマトリクス状に配列されており、第１反射ミラー５０４からの光を第１ダイクロイックミラー５１１に出射する。
【００３１】
第１ダイクロイックミラー５１１は、第２レンズアレイ５０５からの光のうち、青色成分Ｂと緑色成分Ｇとの光を反射し、赤色成分Ｒの光を透過するように分離する。透過された赤色成分Ｒの光は、第２反射ミラー５１２に出射され、反射された青色成分Ｂと緑色成分Ｇとの光は、第２ダイクロイックミラー５２１へ出射される。
【００３２】
第２反射ミラー５１２は、第１ダイクロイックミラー５１１を透過した赤色成分Ｒの光を反射して偏向し、第１コンデンサレンズ５５１Ｒを介して第１液晶表示部５４１Ｒに入射させる。
【００３３】
第２ダイクロイックミラー５２１は、第１ダイクロイックミラー５１１が反射した青色成分Ｂと緑色成分Ｇとの光のうち、青色成分Ｂの光を透過し、緑色成分Ｇの光を反射するように分離する。反射された緑色成分Ｇの光は、第２コンデンサレンズ５５１Ｇを介して第２液晶表示部５４１Ｇに出射される。一方、青色成分Ｂの光は、第１リレーレンズ５３１を透過後、第３反射ミラー５３２に出射される。
【００３４】
第１リレーレンズ５３１は、第２ダイクロイックミラー５２１からの光を受け、第３反射ミラー５３２に出射する。第１リレーレンズ５３１は、他の色の光よりも光路長が長い青色成分Ｂの光の利用効率を向上させるために設けられている。
【００３５】
第３反射ミラー５３２は、青色成分Ｂの光を反射し偏向し、第２リレーレンズ５３３を介して第４反射ミラー５３４に出射する。
【００３６】
第２リレーレンズ５３３は、第３反射ミラー５３２からの光を受け、第４反射ミラー５３４に出射する。第２リレーレンズ５３３は、前述の第１リレーレンズ５３１と同様に、他の色の光よりも光路長が長い青色成分Ｂの光の利用効率を向上させるために設けられている。
【００３７】
第４反射ミラー５３４は、第３反射ミラー５３２からの青色成分Ｂの光を反射し偏向して、第３液晶表示部５４１Ｂへ第３コンデンサレンズ５５１Ｂを介して出射する。
【００３８】
第１，第２および第３の液晶表示部５４１Ｒ，５４１Ｇ，５４１Ｂは、ダイクロイックプリズム５６１の入射面に、それぞれが対面するように配置されている。第１，第２および第３の液晶表示部５４１Ｒ，５４１Ｇ，５４１Ｂは、それぞれが液晶パネルを有する。
【００３９】
ここでは、第１液晶表示部５４１Ｒは、第１コンデンサレンズ５５１Ｒから入射する赤色成分Ｒの光を液晶パネルが変調し、その変調した光をダイクロイックプリズム５６１へ出射する。
【００４０】
そして、第２液晶表示部５４１Ｇは、第２コンデンサレンズ５５１Ｇから入射する緑色成分Ｇの光を液晶パネルが変調し、その変調した光をダイクロイックプリズム５６１へ出射する。
【００４１】
そして、第３液晶表示部５４１Ｂは、第３コンデンサレンズ５５１Ｂから入射する青色成分Ｂの光を液晶パネルが変調し、その変調した光をダイクロイックプリズム５６１へ出射する。
【００４２】
なお、第１，第２および第３の液晶表示部５４１Ｒ，５４１Ｇ，５４１Ｂの詳細については、後述する。
【００４３】
ダイクロイックプリズム５６１は、第１，第２および第３の液晶表示部５４１Ｒ，５４１Ｇ，５４１Ｂを透過した各色成分の光を合成してカラー画像を生成し、その生成したカラー画像を投射レンズユニット５７１へ出射する。
【００４４】
投射レンズユニット５７１は、光源５０１から各部を介してダイクロイックプリズム５６１に照射され、ダイクロイックプリズム５６１によってカラー画像となった光をスクリーン５８０に拡大投射して表示する。ここでは、詳細は後述するが、投射レンズユニット５７１は、各液晶表示部５４１Ｒ，５４１Ｇ，５４１Ｂの液晶パネル６０１により変調されると共に、各液晶表示部５４１Ｒ，５４１Ｇ，５４１Ｂの冷却部６１０における冷却液Ｌを透過した光を投射する。
【００４５】
以下より、上記の液晶表示装置５００における第１液晶表示部５４１Ｒと、第２液晶表示部５４１Ｇと、第３液晶表示部５４１Ｂとについて、詳細に説明する。
【００４６】
図２は、本実施形態の液晶表示装置５００において、第１液晶表示部５４１Ｒと、第２液晶表示部５４１Ｇと、第３液晶表示部５４１Ｂとの部分を拡大して示す平面図である。また、図３は、第１液晶表示部５４１Ｒを示す図である。図３において、図３（Ａ）は、第１液晶表示部５４１Ｒの断面図であり、図３（Ｂ）は、第１液晶表示部５４１Ｒにおいて第１冷却液収容部７１１ａ側を視点とした平面図である。なお、第２液晶表示部５４１Ｇ，第３液晶表示部５４１Ｂについても、図３に示すように、第１液晶表示部５４１Ｒと同様に構成されている。
【００４７】
図２に示すように、第１，第２および第３の液晶表示部５４１Ｒ，５４１Ｇ，５４１Ｂは、立方体であるダイクロイックプリズム５６１の入射面に、それぞれが対面するように配置されている。そして、第１，第２および第３の液晶表示部５４１Ｒ，５４１Ｇ，５４１Ｂは、図２，図３に示すように、液晶パネル６０１と、冷却部６１０とを有する。そして、冷却部６１０は、図２に示すように、冷却液ポンプ６１１と、放熱器６２１と、冷却液リザーブタンク６３１とを有すると共に、図３に示すように、第１および第２の冷却液収容部７１１ａ，７１１ｂを有する。
【００４８】
そして、図２に示すように、第１液晶表示部５４１Ｒは、第１配管６１２ａによって冷却液ポンプ６１１に連結されていると共に、第２液晶表示部５４１Ｇと第２配管６１２ｂによって連結されている。そして、第２液晶表示部５４１Ｇが第３配管６１２Ｃにより第３液晶表示部５４１Ｂと連結されており、第３液晶表示部５４１Ｂが第４配管６１２ｄによって放熱器６２１と連結されている。そして、放熱器６２１が第５配管６１２ｅにより冷却液リザーブタンク６３１と連結されており、冷却液リザーブタンク６３１が第６配管６１２ｆにより冷却液ポンプ６１１と連結されている。
【００４９】
液晶パネル６０１について説明する。
【００５０】
液晶パネル６０１は、光源５０１により光が照射される液晶パネル６０１の面が、冷却部６１０の冷却液Ｌにより冷却される。そして、液晶パネル６０１は、前述したように、光源５０１からの光を受け、その光源５０１から照射された光を変調する。本実施形態においては、図３に示すように、液晶表示装置５００は、液晶パネル６０１と、冷却部６１０の冷却液Ｌとを介した、光源５０１からの光を画像として表示する。具体的には、液晶パネル６０１は、冷却部６１０において、第１冷却液収容部７１１ａの第１収容空間７２４ａが収容する冷却液Ｌを透過した光Ｖを変調する。そして、その変調した光を、冷却部６１０における第２冷却液収容部７１１ｂの第２収容空間７２４ｂが収容する冷却液Ｌに透過させる。つまり、光源５０１から照射された光は、第１冷却液収容部７１１ａ側から液晶パネル６０１を介して第２冷却液収容部７１１ｂ側に出射する。
【００５１】
図４、図５は、本実施形態における液晶パネル６０１の主要部を示す図である。ここで、図４は、液晶パネル６０１の主要部を示す断面図である。また、図５は、液晶パネル６０１の回路図である。
【００５２】
図４，図５に示すように、液晶パネル６０１は、アクティブマトリクス型であり、アレイ基板１１と、対向基板２１と、液晶層３１とを含む。液晶パネル６０１は、アレイ基板１１と対向基板２１とが間隔を隔てるように対面し、周囲がシール材５１により貼り合わされている。そして、アレイ基板１１と対向基板２１との間隔に挟まれるように液晶層３１が配置されている。また、本実施形態の液晶パネル６０１は、透過型であり、たとえば、アレイ基板１１の側から対向基板２１の側に、光源５０１からの光が透過する。そして、図３に示すように、液晶パネル６０１は、冷却部６１０の冷却液Ｌがシール材５１に接触しないように、アレイ基板１１と対向基板２１とのそれぞれの面の周囲で冷却部６１０の各冷却液収容部７１１ａ，７１１ｂに固定されている。各部について、順次説明する。
【００５３】
アレイ基板１１は、光を透過する絶縁体の基板であり、たとえば、石英により形成されている。アレイ基板１１は、図３に示すように、液晶層３１側に対して反対側になる一方の面が、冷却部６１０における冷却液Ｌに接触するように配置されている。そして、この冷却液Ｌに接触する表面は、表面粗さにおける最大高さＲｙが２μｍ以下になるように形成されている。一方、液晶層３１側となる他方の面には、複数の画素がマトリクス状に配置されており、図４に示すように、画素電極１１１を有する。また、図５に示すように、アレイ基板１１は、画素スイッチング素子１１２と、保持容量素子１１３と、走査配線２１１と、信号配線２１２と、保持容量配線２１３とを有し、各部が画素電極１１１に接続されている。
【００５４】
アレイ基板１１における画素電極１１１は、図５に示すように、第１方向ｘと、その第１方向ｘに略直交する第２方向ｙとに、複数がマトリクス状に並ぶように間隔を隔てて形成されている。画素電極１１１は、たとえば、ＩＴＯ（Ｉｎｄｉｕｍ  Ｔｉｎ  Ｏｘｉｄｅ）を用いて形成されており、光を透過する。また、複数の画素電極１１１は、それぞれに対応するように画素スイッチング素子１１２が形成され、画素スイッチング素子１１２のドレイン電極に接続している。画素電極１１１は、画素スイッチング素子１１２を介して信号配線２１２から供給されるデータ信号を、表示電圧として液晶層３１に印加する。
【００５５】
画素スイッチング素子１１２は、図５に示すように、複数の画素電極１１１のそれぞれに対応するように、第１方向ｘと、その第１方向ｘに略直交する第２方向ｙとに、複数がマトリクス状に形成されている。画素スイッチング素子１１２は、たとえば、トップゲート型のＴＦＴとして形成されている。画素スイッチング素子１１２であるＴＦＴは、たとえば、チャネル領域が多結晶シリコンの半導体の薄膜で形成されている。ＴＦＴである画素スイッチング素子１１２においては、ゲート電極が走査配線２１１に接続されており、走査配線２１１を介して、液晶駆動回路部６１２のゲートドライバからゲート電極に入力される走査信号によって、画素スイッチング素子１１２を駆動制御する。また、ソース電極が信号配線２１２に接続されており、信号配線２１２を介して液晶駆動回路部６１２のソースドライバからソース電極１１２ｄにデータ信号が供給される。また、さらに、画素スイッチング素子１１２は、ドレイン電極が画素電極１１１と保持容量素子１１３とに接続されており、ゲート電極に走査信号が印加されてオン状態になった場合には、ドレイン電極から画素電極１１１と保持容量素子１１３とにデータ信号を印加する。
【００５６】
保持容量素子１１３は、図５に示すように、複数の画素電極１１１のそれぞれに対応するように、第１方向ｘと、その第１方向ｘに略直交する第２方向ｙとに複数がマトリクス状に形成されている。ここでは、保持容量素子１１３は、第１電極と第２電極とで誘電体膜を挟むように構成されている。また、保持容量素子１１３は、第１電極が画素スイッチング素子１１２のドレイン電極に接続され、第２電極が保持容量配線２１３に接続されている。保持容量素子１１３は、液晶層３１による静電容量と並列になるように形成されており、液晶層３１に印加されるデータ信号による電荷を保持する。
【００５７】
走査配線２１１は、第１方向ｘに延在するようにアレイ基板１１に形成されており、第１方向ｘに並ぶ画素スイッチング素子１１２に接続している。また、走査配線２１１は、第２方向ｙに並ぶ画素スイッチング素子１１２に対応するように、複数が第２方向ｙに間隔を隔てて並んで形成されている。そして、走査配線２１１は、ゲートドライバに接続されており、画素電極１１１の行を順次、時分割で選択するように、ゲートドライバからの走査信号を画素スイッチング素子１１２に供給する。
【００５８】
信号配線２１２は、第２方向ｙに延在するようにアレイ基板１１に形成されており、第２方向ｙに並ぶ画素スイッチング素子１１２に接続している。また、信号配線２１２は、第１方向ｘに並ぶ画素スイッチング素子１１２に対応するように、複数が第１方向ｘに間隔を隔てて並んで形成されている。そして、信号配線２１２は、ソースドライバに接続されており、ソースドライバからのデータ信号を画素電極１１１に画素スイッチング素子１１２を介して供給する。
【００５９】
保持容量配線２１３は、第１方向ｘに延在するようにアレイ基板１１に形成されており、保持容量素子１１３に接続している。保持容量配線２１３は、第２方向ｙに並ぶ保持容量素子１１３に対応するように、複数が第２方向ｙに間隔を隔てて並んで形成されている。そして、保持容量配線２１３は、一端が保持容量素子１１３の第２電極１１３ｂに接続されており、他端が対向電極２３に接続されている。
【００６０】
一方、対向基板２１は、アレイ基板１１から間隔を隔てて対向するように配置されている。アレイ基板１１と対向基板２１とは、図４に示すように、互いが間隔を隔てて対向するように、シール材５１を用いて貼り合わされており、一対の基板として構成されている。そして、対向基板２１は、アレイ基板１１と同様に、光を透過する絶縁体の基板であり、たとえば、石英により形成されている。対向基板２１は、図３に示すように、液晶層３１側に対して反対側になる一方の面が、冷却部６１０における冷却液Ｌに接触するように配置されている。そして、この冷却液Ｌに接触する表面は、表面粗さにおける最大高さＲｙが２μｍ以下になるように形成されている。ここで、最大高さＲｙとは、最低谷底から最大山頂までの高さであり、ＪＩＳ  Ｂ０６０１−１９９４にて規定されている。そして、対向基板２１は、図４に示すように、対向電極２３を有する。
【００６１】
ここで、対向電極２３は、ＩＴＯを用いて形成され、画素電極１１１に共通する共通電極として、対向基板２１の全面に形成されている。
【００６２】
液晶層３１は、アレイ基板１１の画素電極１１１と、対向基板２１の対向電極２３との間に挟まれるように配置されている。液晶層３１は、たとえば、ツイストネマティック型であり、アレイ基板１１と対向基板２１とのそれぞれに形成された配向膜（図示無し）によって配向されている。液晶層３１は、画素電極１１１と対向電極２３とにより印加される電圧に基づいて配向状態が変化して光学特性が変わり、画像表示を制御する。
【００６３】
上記のように、第１液晶表示部５４１Ｒの液晶パネル６０１は、構成されており、画素電極と共通電極とによって液晶層３１に電界が印加されて液晶層３１の液晶分子の配列が変化して光透過率が変わり、表示面で画像の表示が行われる。本実施形態においては、第１液晶表示部５４１Ｒの液晶パネル６０１は、赤色に対応する画像を表示する。そして、第２液晶表示部５４１Ｇの液晶パネル６０１は、緑色に対応する画像を表示し、第３液晶表示部５４１Ｂの液晶パネル６０１は、青色に対応する画像を表示する。
【００６４】
冷却部６１０について説明する。
【００６５】
冷却部６１０は、図２に示すように、冷却液ポンプ６１１と、放熱器６２１と、冷却液リザーブタンク６３１とを有すると共に、図３に示すように、第１および第２の冷却液収容部７１１ａ，７１１ｂと、第１および第２の流路遮断部７５１ａ，７５１ｂとを有する。冷却部６１０は、光源５０１により光が照射される液晶パネル６０１の面を冷却液Ｌで冷却し、光源５０１からの光が冷却液Ｌを透過する。そして、本実施形態の液晶表示装置５００は、液晶パネル６０１と、冷却部６１０の冷却液Ｌとを介した、光源５０１からの光を画像として表示する。冷却部６１０の各部について、順次説明する。
【００６６】
冷却液ポンプ６１１は、たとえば、ロータリー型ポンプであり、図２に示すように、第１，第２および第３の液晶表示部５４１Ｒ，５４１Ｇ，５４１Ｂのそれぞれに、第１から第６の配管６１２ａ，６１２ｂ，６１２ｃ，６１２ｄ，６１２ｅ，６１２ｆで接続されている。また、冷却液ポンプ６１１は、図２に示すように、第１，第２および第３の液晶表示部５４１Ｒ，５４１Ｇ，５４１Ｂのそれぞれにおいて、第１および第２の冷却液収容部７１１ａ，７１１ｂが収容する冷却液Ｌを、放熱器６２１へ排出する。そして、冷却液ポンプ６１１は、その放熱器６２１により放熱され冷却された冷却液Ｌを、各部における第１および第２の冷却液収容部７１１ａ，７１１ｂに供給する。ここでは、冷却液ポンプ６１１は、凝固点が低く、光透過率が高い液体を冷却液Ｌとして用いる。たとえば、プロピレングリコールを主成分とする液体を冷却液Ｌとして用いる。
【００６７】
具体的には、冷却液ポンプ６１１は、第１配管６１２ａを介して冷却液Ｌを第１液晶表示部５４１Ｒに供給し、その第１液晶表示部５４１Ｒに供給した冷却液Ｌを、第２配管６１２ｂを介して第２液晶表示部５４１Ｇに供給する。そして、その第２液晶表示部５４１Ｇに供給した冷却液Ｌを、第３配管６１２ｃを介して第３液晶表示部５４１Ｂに供給する。その後、冷却液ポンプ６１１は、その第３液晶表示部５４１Ｂに供給した冷却液Ｌを、第４配管６１２ｄを介して放熱器６２１に供給する。そして、その放熱器６２１に供給した冷却液Ｌを、第５配管６１２ｅを介して冷却液リザーブタンク６３１に供給し、その冷却液リザーブタンク６３１が収容した冷却液Ｌを、第６配管６１２ｆを介して受ける。このようにして、冷却液ポンプ６１１は、第１，第２および第３の液晶表示部５４１Ｒ，５４１Ｇ，５４１Ｂに接続しており、第１，第２および第３の液晶表示部５４１Ｒ，５４１Ｇ，５４１Ｂにおける第１および第２の冷却液収容部７１１ａ，７１１ｂにて冷却液Ｌを循環させる。
【００６８】
第１，第２および第３の液晶表示部５４１Ｒ，５４１Ｇ，５４１Ｂのそれぞれにおいては、冷却液ポンプ６１１は、たとえば、図３に示すように、第１冷却液収容部７１１ａが収容する冷却液Ｌを第１排出口７３２ａから排出すると共に、冷却液Ｌを第１供給口７３１ａから第１冷却液収容部７１１ａへ供給して第１収容空間７２４ａに収容させる。そして、第２冷却液収容部７１１ｂが収容する冷却液Ｌを第２排出口７３２ｂから排出すると共に、冷却液Ｌを第２供給口７３１ｂから第２冷却液収容部７１１ｂへ供給して第２収容空間７２４ｂに収容させる。
【００６９】
そして、ここでは、図３に示すように、第１冷却液収容部７１１ａの第１収容空間７２４ａと第２冷却液収容部７１１ｂの第２収容空間７２４ｂとが連結配管７４１によって連結されており、冷却液ポンプ６１１は、第１供給口７３１ａから第１冷却液収容部７１１ａへ冷却液Ｌを供給すると共に、第１冷却液収容部７１１ａが収容する冷却液Ｌを、連結配管７４１を介して第２冷却液収容部７１１ｂへ供給する。そして、さらに、冷却液ポンプ６１１は、第２冷却液収容部７１１ｂが収容する冷却液Ｌを第２排出口７３２ｂから排出する。
【００７０】
放熱器６２１は、放熱フィンを含み、伝熱してきた熱を放熱フィンから外気へ放出する。本実施形態においては、放熱器６２１は、第１，第２および第３の液晶表示部５４１Ｒ，５４１Ｇ，５４１Ｂのそれぞれの各冷却液収容部７１１ａ、７１１ｂが収容した冷却液Ｌを、冷却液ポンプ６１１による循環動作によって受け、その冷却液Ｌの熱を放熱して冷却する。そして、放熱器６２１は、放熱し冷却した冷却液Ｌを冷却液リザーブタンク６３１へ第５配管６１２ｅを介して供給する。そして、冷却液ポンプ６１１によって、その冷却液Ｌが各冷却液収容部７１１ａ，７１１ｂへ供給される。
【００７１】
冷却液リザーブタンク６３１は、冷却液Ｌを保管する容器である。冷却液リザーブタンク６３１は、放熱器６２１が放熱した冷却液Ｌを第５配管６１２ｅから受けて、所定量の冷却液Ｌを冷却状態を保持して保管する。そして、冷却液リザーブタンク６３１は、収容している冷却液Ｌを第６配管６１２ｆから冷却液ポンプ６１１へ供給する。
【００７２】
第１および第２の冷却液収容部７１１ａ，７１１ｂは、冷却液Ｌを収容する第１収容空間７２４ａを備えた容器であり、その収容した冷却液Ｌが液晶パネル６０１に接触して冷却する。各部について順次説明する。
【００７３】
第１冷却液収容部７１１ａは、図３に示すように、第１の外枠７２１ａと、第１偏向板固定基板７２２ａと、第１偏向板７２３ａとを有する。第１冷却液収容部７１１ａは、冷却液Ｌが供給される第１供給口７３１ａと、冷却液Ｌが排出される第１排出口７３２ａとが形成されており、第１供給口７３１ａから供給される冷却液Ｌを第１収容空間７２４ａで収容する。
【００７４】
第１冷却液収容部７１１ａは、光源５０１によって光が照射される液晶パネル６０１の一方の面に、第１収容空間７２４ａが対応するように配置されており、光源５０１からの光が第１収容空間７２４ａに収容された冷却液Ｌを透過する。ここでは、第１冷却液収容部７１１ａの第１収容空間７２４ａは、光源５０１からの光が照射される液晶パネル６０１の一方の面の全面を覆うように、対面している。そして、第１冷却液収容部７１１ａは、第１収容空間７２４ａに収容される冷却液Ｌを用いて、液晶パネル６０１を冷却する。また、第１冷却液収容部７１１ａは、第１収容空間７２４ａを介して液晶パネル６０１に対面している第１偏光板７２２ａを、第１収容空間７２４ａに収容される冷却液Ｌを用いて冷却する。
【００７５】
具体的には、図３に示すように、第１冷却液収容部７１１ａは、第１供給口７３１ａから供給される冷却液Ｌを第１収容空間７２４ａで収容し、その冷却液Ｌを液晶パネル６０１と第１偏光板７２３ａとに接触させて冷却する。たとえば、第１液晶表示部５４１Ｒの場合においては、第１冷却液収容部７１１ａは、冷却液ポンプ６１１からの冷却液Ｌを、第１配管６１２ａを介して第１供給口７３１ａで受ける。そして、第１冷却液収容部７１１ａは、その冷却液ポンプ６１１からの冷却液Ｌを第１収容空間７２４ａで収容し、液晶パネル６０１と第１偏光板７２３ａとに接触させて冷却する。そして、その後、第１排出口７３２ａから第１収容空間７２４ａの冷却液Ｌを、連結配管７４１を介して、第２冷却液収容部７１１ｂへ排出する。第１冷却液収容部７１１ａの各部について説明する。
【００７６】
第１の外枠７２１ａは、液晶パネル６０１の表示面の周囲を囲い、その液晶パネル６０１を固定して支持する。ここでは、柔軟性があると共に透湿度が低い接着材を用いることが好ましく、たとえば、シリコン系樹脂の接着剤を用いて、液晶パネル６０１を第１の外枠７２１ａに固定し支持させる。具体的には、幅０．５ｍｍ以上、厚み１００μｍ以上になるように接着剤層を設けて、液晶パネル６０１を第１の外枠７２１ａに固定する。
【００７７】
また、図３に示すように、第１の外枠７２１ａは、光源５０１からの光Ｖが、第１収容空間７２４ａの冷却液Ｌを介して液晶パネル６０１の表示面に照射されるように、矩形形状に開口している。そして、光源５０１からの光Ｖを透過する第１偏向板固定基板７２２ａと第１偏向板７２３ａとが、第１の外枠７２１ａの開口に配置され、冷却液Ｌが収容される第１収容空間７２４ａを覆い、密閉空間を形成している。ここでは、液晶パネル６０１と第１偏光板７２３ａとの間にて規定される第１収容空間７２４ａの幅が５ｍｍ以下になるように規定されている。また、第１の外枠７２１ａは、樹脂材料や金属材料などにより形成され、本実施形態においては、熱伝導率が高い金属材料であるアルミニウムを用いて形成されている。
【００７８】
そして、第１の外枠７２１ａには、第１供給口７３１ａと、第１排出口７３２ａとのそれぞれが、第１収容空間７２４ａに連結するように形成されている。第１供給口７３１ａは、矩形形状の液晶パネル６０１における一方の側面側から他方の側面側へ冷却液Ｌを供給するように、第１の外枠７２１の一方の側面に設けられている。ここでは、第１供給口７３１ａは、液晶パネル６０１の中央部分に対応するように、第１の外枠７２１における一方の側面の中心部分に設けられている。一方、第１排出口７３２ａは、矩形形状の液晶パネル６０１における一方の側面側から他方の側面側へ供給される冷却液Ｌを排出するように、第１の外枠７２１ａの他方の側面に設けられている。ここでは、第１排出口７３２ａは、液晶パネル６０１の中央部分に対応するように、第１の外枠７２１ａにおける他方の側面の中心部分に設けられている。
【００７９】
第１偏向板固定基板７２２ａは、第１偏光板７２３ａを固定する基板である。第１偏光板固定基板７２２ａは、光を透過する基板であり、たとえば、青板ガラスにより形成されている。第１偏向板固定基板７２２ａは、第１の外枠７２１ａの開口に配置され、液晶パネル６０１側の面で第１偏光板７２３ａを固定し支持する。そして、第１偏向板固定基板７２２ａは、光源５０１からの光Ｖを透過し、その透過した光Ｖが、第１偏光板７２３ａを介して液晶パネル６０１に照射されるように設けられている。
【００８０】
第１偏光板７２３ａは、第１収容空間７２４ａを介して、液晶パネル６０１に対面するように、第１偏向板固定基板７２２ａに固定され配置されており、光源５０１から液晶パネル６０１へ照射される光Ｖを偏光する。たとえば、第１偏光板７２３ａは、入射された光を直線偏光する。第１偏向板７２３ａは、たとえば、染色されたポリビニルアルコール（ＰＶＡ：Ｐｏｌｙｖｉｎｉｌ  ａｌｃｏｈｏｌ）フィルムを偏光素子とし、そのＰＶＡフィルムを保護するセルローストリアセテート（ＴＡＣ）フィルムがそのＰＶＡフィルムの両面に設けられたものを用いる。また、第１偏向板７２３ａは、液晶パネル６０１と共に、第１収容空間７２４ａに収容された冷却液Ｌによって冷却される。
【００８１】
一方、第２冷却液収容部７１１ｂは、図３に示すように、第２の外枠７２１ｂと、第２偏向板固定基板７２２ｂと、第２偏向板７２３ｂとを有する。第２冷却液収容部７１１ｂは、冷却液Ｌが供給される第２供給口７３１ｂと、冷却液Ｌが排出される第２排出口７３２ｂとが形成されており、第２供給口７３１ｂから供給される冷却液Ｌを第２収容空間７２４ｂで収容する。
【００８２】
第２冷却液収容部７１１ｂは、光源５０１によって光を照射される液晶パネル６０１の他方の面に第２収容空間７２４ｂが対応するように配置されている。ここでは、第２冷却液収容部７１１ｂの第２収容空間７２４ｂは、光源５０１からの光が照射される液晶パネル６０１の他方の面の全面を覆うように、対面している。そして、第２冷却液収容部７１１ｂは、光源５０１からの光を、第１収容空間７２４ａおよび液晶パネル６０１を介して受け、その光源５０１からの光が第２収容空間７２４ｂに収容された冷却液Ｌを透過する。つまり、第２冷却液収容部７１１ｂは、液晶パネル６０１を挟んで、第１冷却液収容部７１１ａと対向するように配置されている。そして、第２冷却液収容部７１１ｂは、第２収容空間７２４ｂに収容される冷却液Ｌを用いて、液晶パネル６０１を冷却する。そして、その他に、第２冷却液収容部７１１ｂは、第２収容空間７２４ｂを介して液晶パネル６０１に対面している第２偏光板７２２ｂを、第２収容空間７２４ｂに収容される冷却液Ｌを用いて冷却する。
【００８３】
具体的には、図３に示すように、第２冷却液収容部７１１ｂは、第２供給口７３１ｂから供給される冷却液Ｌを第２収容空間７２４ｂで収容し、その冷却液Ｌを液晶パネル６０１と第２偏光板７２３ｂとに接触させて冷却する。たとえば、第１液晶表示部５４１Ｒの場合においては、第２冷却液収容部７１１ｂは、第１冷却液収容部７１１ａからの冷却液Ｌを、連結配管７４１を介して第２供給口７３１ｂで受ける。そして、第２冷却液収容部７１１ｂは、その第１冷却液収容部７１１ａからの冷却液Ｌを第２収容空間７２４ｂで収容し、液晶パネル６０１と第２偏光板７２３ｂとに接触させて冷却する。そして、その後、第２排出口７３２ｂから第２収容空間７２４ｂの冷却液Ｌを排出する。ここでは、図２に示すように、第１液晶表示部５４１Ｒの第２冷却液収容部７１１ｂは、第２配管６１２ｂを介して、第２液晶表示部５４１Ｇへ排出する。
【００８４】
第２の外枠７２１ｂは、第１の外枠７２１ａと同様に形成されている。そして、第２の外枠７２１ｂは、液晶パネル６０１の表示面の周囲を囲い、その液晶パネル６０１を固定して支持する。図３に示すように、第２の外枠７２１ｂは、第１収容空間７２４ａの冷却液Ｌを介して液晶パネル６０１の表示面に照射され、液晶パネル６０１により変調された光Ｖが透過するように、矩形形状に開口している。そして、第２の外枠７２１ｂは、その液晶パネル６０１により変調された光Ｖを透過する第２偏向板固定基板７２２ｂと第２偏向板７２３ｂとが、その開口に配置され、冷却液Ｌが収容される第２収容空間７２４ｂを覆っている。そして、第２の外枠７２１ｂには、第２供給口７３１ｂと、第２排出口７３２ｂとのそれぞれが、第２収容空間７２４ｂに連結するように形成されている。
【００８５】
第２偏向板固定基板７２２ｂは、第１偏向板固定基板７２２ａと同様に形成されており、第２偏光板７２３ｂを固定する。第２偏向板固定基板７２２ｂは、第２の外枠７２１ｂの開口に配置され、液晶パネル６０１側の面で第２偏光板７２３ｂを固定し支持する。そして、第２偏向板固定基板７２２ｂは、液晶パネル６０１により変調されると共に、第２偏光板７２３ｂにて偏光された光Ｖを透過する。
【００８６】
第２偏光板７２３ｂは、第１偏光板７２３ａと同様に形成されている。第２偏光板７２３ｂは、第２収容空間７２４ｂを介して、液晶パネル６０１に対面するように第２偏向板固定基板７２２ｂに固定されている。そして、第２偏光板７２３ｂは、第２収容空間７２４ｂに収容された冷却液Ｌによって、液晶パネル６０１と共に冷却される。そして、第２偏光板７２３ｂは、液晶パネル６０１により偏光された光Ｖを、第２収容空間７２４ｂの冷却液Ｌを介して受けて偏光する。
【００８７】
連結配管７４１は、冷却液Ｌを導くパイプを含む。ここでは、連結配管７４１は、第１冷却液収容部７１１ａの第１収容空間７２４ａと第２冷却液収容部７１１ｂの第２収容空間７２４ｂとの間で冷却液Ｌが通るように、第１冷却液収容部７１１ａの第１排出口７３２ａと第２冷却液収容部７１１ｂの第２供給口７３１ｂとを連結する。連結配管７４１は、冷却液ポンプ６１１によって、第１冷却液収容部７１１ａが第１収容空間７２４ａで収容する冷却液Ｌを第２冷却液収容部７１１ｂの第２収容空間７２４ｂへ導く。
【００８８】
つぎに、冷却部６１０における第１および第２の流路遮断部７５１ａ，７５１ｂについて説明する。
【００８９】
第１および第２の流路遮断部７５１ａ，７５１ｂは、図３に示すように、各冷却液収容部７１１ａ，７１１ｂに、凸形状でそれぞれ形成されている。各流路遮断部７５１ａ，７５１ｂは、各供給口７３１ａ，７３１ｂと対面するように各冷却液収容部７１１ａ，７１１ｂに配置されている。そして、各流路遮断部７５１ａ，７５１ｂは、各収容空間７２４ａ，７２４ｂの液晶パネル６０１に対応する領域へ流れる位置よりも前の位置に形成されている。また、各流路遮断部７５１ａ，７５１ｂは、冷却液ポンプ６１１によって各冷却液収容部７１１ａ，７１１ｂにおける各供給口７３１ａ，７３１ｂから、各収容空間７２４ａ，７２４ｂの液晶パネル６０１に対応する領域へ供給される冷却液Ｌの流路の一部を遮って、液晶パネル６０１の表示面に気泡が侵入することを防止する。そして、各流路遮断部７５１ａ，７５１ｂは、各冷却液収容部７１１ａ，７１１ｂと同じ構成材料を用いて一体的に形成されている。
【００９０】
各流路遮断部７５１ａ，７５１ｂのそれぞれについて説明する。
【００９１】
第１流路遮断部７５１ａは、図３に示すように、冷却液ポンプ６１１によって第１冷却液収容部７１１ａの第１供給口７３１ａから、第１収容空間７２４ａの液晶パネル６０１に対応する領域へ供給される冷却液Ｌの流路の一部を遮る。また、第１流路遮断部７５１ａの冷却液Ｌを遮断する面は、表面粗さにおける最大高さＲｙが１０μｍ以下になるように形成されている。表面粗さにおける最大高さＲｙは、小さい方が好ましく、本実施形態では、より好適とするために、５μｍ以下になるように形成されている。ここでは、メッキ処理によって、第１流路遮断部７５１ａの表面に、クロムからなる金属薄膜を設け、表面粗さの最大高さＲｙを５μｍ以下としている。なお、金属薄膜としては、クロムの他、チタン，酸化シリコン，酸化マグネシウムが、光の乱反射による画像品質の低下を防止する観点から好適である。
【００９２】
また、第１流路遮断部７５１ａは、図３（Ｂ）に示すように、第１供給口７３１ａに対面する位置に設けられている。そして、その第１供給口７３１ａに対面しない個所には開口が形成されており、その開口から冷却液Ｌが第１収容空間７２４ａに供給される。この開口は、第１流路遮断部７５１ａの両端にそれぞれ形成されている。ここでは、第１流路遮断部７５１ａは、矩形形状で形成されており、第１供給口７３１ａから供給される冷却液Ｌの流れのベクトルに対して略垂直になる遮断面を有する。そして、その遮断面が第１供給口７３１ａに対応する領域を覆うように第１供給口７３１ａより大きくなるように形成されている。そして、第１流路遮断部７５１ａは、第１供給口７３１ａから供給される冷却液Ｌの流れを、その流れに対して垂直な遮断面で遮り、その両端の開口に冷却液Ｌの流れを導いて、第１収容空間７２４ａに収容させる。
【００９３】
一方、第２流路遮断部７５１ｂは、図３（Ａ）に示すように、冷却液ポンプ６１１によって、第２冷却液収容部７１１ｂの第２供給口７３１ｂから、第２収容空間７２４ｂにて液晶パネル６０１に対応する領域へ供給される冷却液Ｌの流路の一部を遮る。第２流路遮断部７５１ｂは、図３（Ｂ）に示す第１流路遮断部７５１ａと同様に形成されており、第２供給口７３１ｂに対面する位置に設けられている。そして、その第２供給口７３１ｂに対面しない個所には開口が形成され、その開口から冷却液Ｌが第２収容空間７２４ｂに供給される。
【００９４】
以下より、本実施形態の液晶表示装置５００の動作について説明する。
【００９５】
本実施形態の液晶表示装置において、図１に示すように、光源５０１からの白色光は、第１レンズアレイ５０３を透過後、第１反射ミラー５０４によって反射され、第２レンズアレイ５０５を透過する。その後、第１および第２のダイクロイックミラー５１１，５２１によって、赤、青、緑の３原色に分離される。たとえば、第１ダイクロイックミラー５１１は、赤色の光を透過し、緑色および青色が混合した光を反射することにより、白色光を分離する。そして、第２ダイクロイックミラー５２１は、緑色および青色が混合した光のうち、青色の光を透過すると共に、緑色の光を反射することによってそれぞれに分離する。
【００９６】
その後、第１ダイクロイックミラー５１１により分離された赤色の光は、第２反射ミラー５１２によって偏向され、第２コンデンサレンズ５５１Ｒを介して第１液晶表示部５４１Ｒの表示面に入射する。また、第２ダイクロイックミラー５２１により分離された緑色の光は、第３コンデンサレンズ５５１Ｇを介して第２液晶表示部５４１Ｇの表示面に入射する。そして、第２ダイクロイックミラー５２１により分離された青色の光は、第１リレーレンズ５３１と第３反射ミラー５３２と第２リレーレンズ５３３と第４反射ミラー５３４と第３コンデンサレンズ５５１Ｂを介して、第３液晶表示部５４１Ｂの表示面に入射する。青色の光は、他の色と光路長が異なるため、色ムラにならないように第１および第２のリレーレンズ５３１，５３３によって光路が調整されている。そして、各液晶表示部５４１Ｒ，５４１Ｇ，５４１Ｂの各液晶パネル６０１に入射する各色の光は、各色に対応した画像が表示されている各液晶パネル６０１により変調され透過する。そして、各色の画像がダイクロイックプリズム５６１によって合成されて、１つの画像となり、投射レンズユニット５７１によって、スクリーン５８０に拡大して投影される。
【００９７】
本実施形態に示すような投射型の液晶表示装置５００にて画像をスクリーン５８０に投射して表示する際においては、光源５０１からの光のうちの大部分は、スクリーン５８０へ投射され表示される画像に寄与せずに、各液晶表示部５４１Ｒ，５４１Ｇ，５４１Ｂにおける構成部材に吸収され、液晶パネル６０１や第１および第２の偏光板７２３ａ，７２３ｂなどの構成部材を発熱させる。
【００９８】
そして、光源５０１からの光により発熱した液晶パネル６０１や第１および第２の偏光板７２３ａ，７２３ｂを冷却部６１０が冷却する。
【００９９】
冷却部６１０においては、第１および第２の冷却液収容部７１１ａ，７１１ｂが、各供給口７３１ａ，７３１ｂから供給される冷却液Ｌを、各収容空間７２４ａ，７２４ｂに収容し、液晶パネル６０１の表示面を冷却する。ここでは、各冷却液収容部７１１ａ，７１１ｂが収容する冷却液Ｌを、冷却液ポンプ６１１が各排出口７３２ａ，７３２ｂから排出する。そして、これと共に、冷却液ポンプ６１１は、冷却液Ｌを各供給口７３１ａ，７３１ｂから各冷却液収容部７１１ａ，７１１ｂへ供給し、各収容空間７２４ａ，７２４ｂに収容させる。
【０１００】
この時、冷却液ポンプ６１１によって各供給口７３１ａ，７３１ｂから各冷却液収容部７１１ａ，７１１ｂの液晶パネル６０１に対応する領域へ供給される冷却液Ｌの流路の一部を、各流路遮断部７５１ａ，７５１ｂがそれぞれ遮る。これにより、冷却液Ｌ中の気泡が、各流路遮断部７５１ａ，７５１ｂによって分散されて、各収容空間７２４ａ，７２４ｂに供給されると共に、各供給口７３１ａ，７３１ｂからの冷却液Ｌの流路を各流路遮断部７５１ａ，７５１ｂの周囲に変える。そして、冷却液Ｌの中の気泡が、各流路遮断部７５１ａ，７５１ｂによって変えられた流路に沿って、各収容空間７２４ａ，７２４ｂの中を流れ、各排出口７３２ａ，７３２ｂから排出される。
【０１０１】
以上のように、本実施形態の液晶表示装置５００においては、第１および第２の流路遮断部７５１ａ，７５１ｂによって、冷却液Ｌの中の気泡が分散され、各収容空間７２４ａ，７２４ｂに供給される。また、第１および第２の流路遮断部７５１ａ，７５１ｂによって、各供給口７３１ａ，７３１ｂからの冷却液Ｌの流路が各流路遮断部７５１ａ，７５１ｂの周囲に変えられる。ここでは、冷却液Ｌの中の気泡が、冷却液Ｌよりも比重が小さいために、その各流路遮断部７５１ａ，７５１ｂによって変えられた流路に沿って、各収容空間７２４ａ，７２４ｂにおける表示領域以外の領域を流れ、各排出口７３２ａ，７３２ｂから排出される。したがって、本実施形態は、液晶パネル６０１を冷却し適正な温度範囲に調整する場合において、騒音および製造コストを抑制することができると共に、冷却液Ｌの循環によって冷却液Ｌの中の気泡による画像品質への影響を取り除くことができるため、画像品質を向上させることができる。
【０１０２】
また、本実施形態においては、冷却液Ｌを介して液晶パネル６０１に対面するように各偏光板７２３ａ，７２３ｂが配置されており、冷却部６１０は、液晶パネル６０１と共に各偏光板７２３ａ，７２３ｂを冷却する。したがって、本実施形態は、効率的に冷却することができるために、騒音および製造コストを抑制することができると共に、装置の信頼性を向上して、画像品質を向上させることができる。
【０１０３】
また、本実施形態においては、冷却液ポンプ６１１は、第１冷却液収容部７１１ａの第１供給口７３１ａから第１収容空間７２４ａへ冷却液Ｌを供給する。そして、これと共に、第１冷却液収容部７１１ａが収容する冷却液Ｌを、連結配管７４１を介して第１排出口７３２ａから第２冷却液収容部７１１ｂの第２供給口７３１ｂへ供給し、第２冷却液収容部７１１ｂが収容する冷却液Ｌを第２排出口７３２ｂから排出する。そして、冷却液Ｌを第１収容空間７２４ａに収容する第１冷却液収容部７１１ａが、液晶パネル６０１の一方の面から液晶パネル６０１を冷却すると共に、冷却液Ｌを第２収容空間７２４ｂに収容する第２冷却液収容部７１１ｂが、液晶パネル６０１の他方の面から液晶パネル６０１を冷却する。したがって、本実施形態は、効率的に冷却することができるために、騒音および製造コストを抑制することができると共に、装置の信頼性を向上して、画像品質を向上させることができる。
【０１０４】
また、本実施形態においては、先に冷却液Ｌが供給される第１冷却液収容部７１１ａの側から光源５０１の光が照射され、その後、第１冷却液収容部７１１ａの後に冷却液Ｌが供給される第２冷却液収容部７１１ｂの側に光源５０１の光が液晶パネル６０１を介して照射される。このように、本実施形態は、光源５０１からの光が先に照射されて発熱しやすい液晶パネル６０１の一方の面を、冷却ポンプ７１１によって先に冷却液Ｌが供給される第１冷却液収容部７１１ａで冷却する。そして、前述の一方の面よりも光源５０１からの光が後に照射され発熱しにくい液晶パネル６０１の他方の面を、第１冷却液収容部７１１ａよりも後に冷却液Ｌが供給される第２冷却液収容部７１１ｂで冷却する。したがって、本実施形態は、効率的に冷却することができるために、騒音および製造コストを抑制することができると共に、装置の信頼性を向上して、画像品質を向上させることができる。
【０１０５】
また、本実施形態においては、各冷却液収容部７１１ａ、７１１ｂが収容する冷却液Ｌを冷却液ポンプが放熱器６２１へ排出する。そして、各冷却液収容部７１１ａ，７１１ｂが収容する冷却液Ｌの熱を、放熱器６２１が放熱して冷却する。そして、その放熱器６２１により冷却された冷却液Ｌを各冷却液収容部７１１ａ，７１１ｂへ供給する。したがって、本実施形態は、効率的に冷却することができるために、騒音および製造コストを抑制することができると共に、装置の信頼性を向上して、画像品質を向上させることができる。
【０１０６】
また、本実施形態においては、各流路遮断部７５１ａ，７５１ｂの冷却液Ｌを遮断する面は、表面粗さにおける最大高さＲｙが１０μｍ以下になるように形成されている。表面粗さにおける最大高さＲｙが１０μｍを超える場合には、冷却液Ｌ中の気泡が各流路遮断部７５１ａ，７５１ｂに付着し、その付着した気泡が結合して大きな気泡に成長し、画像品質を低下させる場合があった。しかし、本実施形態においては、各流路遮断部７５１ａ，７５１ｂの冷却液Ｌを遮断する面を、表面粗さにおける最大高さＲｙが１０μｍ以下になるように形成することにより、この不具合を低減させている。したがって、本実施形態は、画像品質を向上させることができる。
【０１０７】
また、本実施形態においては、液晶パネル６０１における冷却液Ｌに接触する表面は、表面粗さにおける最大高さＲｙが２μｍ以下になるように形成されている。表面粗さにおける最大高さＲｙが２μｍを超える場合には、冷却液Ｌ中の気泡が液晶パネル６０１に付着し、画像品質を低下させる場合があった。しかし、本実施形態においては、液晶パネル６０１にて冷却液Ｌに接触する表面を、表面粗さにおける最大高さＲｙが２μｍ以下になるように形成することにより、この不具合を低減させている。したがって、本実施形態は、画像品質を向上させることができる。
【０１０８】
＜実施形態２＞
以下より、本発明にかかる実施形態２について説明する。
【０１０９】
図６は、本実施形態の液晶表示装置５００においての第１液晶表示部５４１Ｒを示す図である。図６において、図６（Ａ）は、第１液晶表示部５４１Ｒの断面図であり、図６（Ｂ）は、第１液晶表示部５４１Ｒにおいて第１冷却液収容部７１１ａ側を視点とした平面図である。なお、第２液晶表示部５４１Ｇ，第３液晶表示部５４１Ｂについても、図６に示すように、第１液晶表示部５４１Ｒと同様に構成されている。
【０１１０】
図６に示すように、本実施形態の液晶表示装置５００は、第１及び第２の偏光板保護部７２５ａ，７２５ｂを有することと、第１および第２の流路遮断部７５１ａ，７５１ｂの形状が異なることとを除き、実施形態１と同様である。このため、重複する個所については説明を省略する。
【０１１１】
第１および第２の偏向板保護部７２５ａ，７２５ｂは、図６（Ａ）に示すように、第１冷却液収容部７１１ａと第２冷却液収容部７１１ｂとのそれぞれに設けられている。たとえば、各偏向板保護部７２５ａ，７２５ｂとして、チタンの薄膜が各偏光板７２３ａ，７２３ｂの表面に形成されている。
【０１１２】
具体的には、第１偏向板保護部７２５ａは、第１偏光板７２３ａの第１収容空間７２４ａの側に設けられ、第１収容空間７２４ａに収容される冷却液Ｌとの接触から第１偏光板７２３ａを保護する。つまり、第１偏向板保護部７２５ａは、第１収容空間７２４ａの冷却液Ｌと第１偏光板７２３ａとが直接的に接触することを回避するために、第１偏光板７２３ａにおける冷却液Ｌの側の面を覆うように形成されている。そして、第１偏光板保護部７２５ａを介して第１偏光板７２３ａが、第１収容空間７２４ａの冷却液Ｌにより冷却される。
【０１１３】
一方、第２偏向板保護部７２５ｂは、第２偏光板７２３ｂの第２収容空間７２４ｂの側に設けられ、第２収容空間７２４ｂに収容される冷却液Ｌとの接触から第２偏光板７２３ｂを保護する。つまり、第２偏向板保護部７２５ｂは、第２収容空間７２４ｂの冷却液Ｌと第２偏光板７２３ｂとが直接的に接触することを回避するために、第２偏光板７２３ｂにおける冷却液Ｌの側の面を覆うように形成されている。そして、第２偏光板保護部７２５ｂを介して第２偏光板７２３ｂが、第２収容空間７２４ｂの冷却液Ｌにより冷却される。
【０１１４】
第１および第２の流路遮断部７５１ａ，７５１ｂは、図６に示すように、実施形態１と同様に、第１冷却液収容部７１１ａと第２冷却液収容部７１１ｂとのそれぞれに設けられている。しかし、本実施形態においては、図６（Ｂ）に示すように、第１流路遮断部７５１ａは、実施形態１と異なっており、冷却液ポンプ６１１によって第１供給口７３１ａから第１冷却液収容部７１１ａへ供給される冷却液Ｌの流れの向きに沿って、冷却液Ｌの流路を遮断する面が大きくなるように形成されている。つまり、第１流路遮断部７５１ａは、第１供給口７３１ａから供給される冷却液Ｌの流れのベクトルに対して略垂直になる面から、その流れの方向に沿って傾くように、冷却液Ｌの流れを遮る遮断面が設けられている。そして、第１流路遮断部７５１ａは、第１供給口７３１ａから供給される冷却液Ｌの流れを、その流れに沿って傾いた遮断面で遮り、冷却液Ｌの流れを両端の開口に導いて、第１収容空間７２４ａに収容させる。
【０１１５】
具体的には、第１流路遮断部７５１ａは、図６（Ｂ）に示すように、第１供給口７３１ａからの冷却液Ｌの流れの向きに沿った面で切断される断面が、三角形状になるように形成されている。ここでは、第１流路遮断部７５１ａは、その三角形状の斜辺の長さが等しい二等辺三角形であり、その斜辺の交点となる頂点が第１供給口７３１ａの中央部分に対向するように配置されている。つまり、第１流路遮断部７５１ａの冷却液Ｌの流路を遮断する面は、冷却液ポンプ６１１によって第１供給口７３１ａから第１冷却液収容部７１１ａへ供給される冷却液Ｌの流れの向きに沿って、第１供給口７３１ａの中央部分から周囲へ大きくなるように形成されている。なお、第２流路遮断部７５１ｂについても、図６（Ｂ）に示す第１流路遮断部７５１ａと同様に形成されている。
【０１１６】
以上のように、本実施形態の液晶表示装置５００においては、第１収容空間７２４ａにて第１偏光板７２３ａが冷却液Ｌと接触しないように、第１偏光板保護部７２５ａが保護している。そして、第１偏光板保護部７２５ａを介して冷却部６１０の冷却液Ｌが第１偏光板７２３ａを冷却する。また、さらに、第２収容空間７２４ｂにて第２偏光板７２３ｂが冷却液Ｌと接触しないように、第２偏光板保護部７２５ｂが保護している。そして、第２偏光板保護部７２５ｂを介して冷却部６１０の冷却液Ｌが第２偏光板７２３ｂを冷却する。本実施形態は、第１および第２の偏光板７２３ａ，７２３ｂが冷却液Ｌの浸透によって変質することを、第１および第２の偏向板保護部７２５ａ，７２５ｂが保護している。したがって、本実施形態は、冷却液Ｌの循環によって第１および第２の偏向板保護部７２５ａ，７２５ｂが劣化することを防止し、画像品質を向上することができる。
【０１１７】
また、本実施形態においては、冷却液ポンプ６１１によって第１供給口７３１ａから第１冷却液収容部７１１ａへ供給される冷却液Ｌの流れの向きに沿って、冷却液Ｌの流路を遮断する面が大きくなるように、第１流路遮断部７５１ａが形成されている。そして、冷却液ポンプ６１１によって第２供給口７３１ｂから第２冷却液収容部７１１ｂへ供給される冷却液Ｌの流れの向きに沿って、冷却液Ｌの流路を遮断する面が大きくなるように、第２流路遮断部７５１ｂが形成されている。このため、本実施形態は、各供給口７３１ａ，７３１ｂからの冷却液Ｌが、各流路遮断部７５１ａ，７５１ｂに遮断される強度を緩和して、冷却液Ｌ中の気泡が結合されることを防止し、その冷却液Ｌの流路を各流路遮断部７５１ａ，７５１ｂの周囲に変える。したがって、本実施形態は、冷却液Ｌの循環によって冷却液Ｌの中の気泡による画像品質への影響を低下することができるため、画像品質を向上させることができる。
【０１１８】
なお、上記の本実施形態において、液晶表示装置５００は、本発明の液晶表示装置に相当する。また、本実施形態の光源５０１は、本発明の光源に相当する。また、本実施形態の液晶パネル６０１は、本発明の液晶パネルに相当する。また、本実施形態の冷却部６１０は、本発明の冷却部および冷却装置に相当する。また、本実施形態の冷却液ポンプ６１１は、本発明の冷却液ポンプに相当する。また、本実施形態の放熱器６２１は、本発明の放熱部に相当する。また、本実施形態の第１冷却液収容部７１１ａは、本発明の収容部および第１収容部に相当する。また、本実施形態の第２冷却液収容部７１１ｂは、本発明の収容部および第２収容部に相当する。また、本実施形態の第１偏光板７２３ａは、本発明の偏光板に相当する。また、本実施形態の第２偏光板７２３ｂは、本発明の偏光板に相当する。また、本実施形態の第１収容空間７２４ａは、本発明の収容空間および第１収容空間に相当する。また、本実施形態の第２収容空間７２４ｂは、本発明の収容空間および第２収容空間に相当する。また、本実施形態の第１偏向板保護部７２５ａ，第２偏向板保護部７２５ｂは、本発明の偏光板保護部に相当する。また、本実施形態の第１供給口７３１ａは、本発明の供給口および第１供給口に相当する。また、本実施形態の第１排出口７３２ａは、本発明の排出口および第１排出口に相当する。また、本実施形態の第２供給口７３１ｂは、本発明の供給口および第２供給口に相当する。また、本実施形態の第２排出口７３２ｂは、本発明の排出口および第２排出口に相当する。また、本実施形態の連結配管７４１は、本発明の連結部に相当する。また、本実施形態の第１流路遮断部７５１ａは、本発明の流路遮断部および第１流路遮断部に相当する。また、本実施形態の第２流路遮断部７５１ｂは、本発明の流路遮断部および第２流路遮断部に相当する。また、本実施形態の冷却液Ｌは、本発明の冷却液に相当する。
【０１１９】
また、本発明の実施に際しては、上記した実施の形態に限定されるものではなく、種々の変形形態を採用することができる。
【０１２０】
たとえば、上記の実施形態において、液晶パネルや偏光板の表面を覆うようにガラス基板などの光透過性基板を設け、その光透過性基板を介して、液晶パネルや偏光板を冷却部が冷却するように構成されていても良い。
【０１２１】
また、たとえば、流路遮断部は、供給口からの冷却液の流れの向きに沿った面で切断される断面が、台形形状になるように形成されているなど、他の形状で形成されていてもよい。
【図面の簡単な説明】
【０１２２】
【図１】図１は、本発明にかかる実施形態１における液晶表示装置を示す構成図である。
【図２】図２は、本発明にかかる実施形態１において、第１液晶表示部と第２液晶表示部と第３液晶表示部との部分を拡大して示す平面図である。
【図３】図３は、本発明にかかる実施形態１において、第１液晶表示部を示す図であり、図３（Ａ）が、第１液晶表示部の断面図であり、図３（Ｂ）が、第１液晶表示部において第１冷却液収容部側を視点とした平面図である。
【図４】図４は、本発明にかかる実施形態１において、液晶パネルの主要部を示す断面図である。
【図５】図５は、本発明にかかる実施形態１において、液晶パネルの回路図である。
【図６】図６は、本発明にかかる実施形態２において、第１液晶表示部を示す図であり、図６（Ａ）が、第１液晶表示部の断面図であり、図６（Ｂ）が、第１液晶表示部において第１冷却液収容部側を視点とした平面図である。
【符号の説明】
【０１２３】
５００…液晶表示装置（液晶表示装置）、
５０１…光源（光源）、
５７１…投射レンズユニット（投射部）、
６０１…液晶パネル（液晶パネル）、
６１０…冷却部（冷却部，冷却装置）、
６１１…冷却液ポンプ（冷却液ポンプ）、
６２１…放熱器（放熱部）、
６３１…冷却液リザーブタンク、
７１１ａ…第１冷却液収容部（収容部，第１収容部）、
７１１ｂ…第２冷却液収容部（収容部，第２収容部）、
７２３ａ…第１偏光板（偏光板）、
７２３ｂ…第２偏光板（偏光板）、
７２４ａ…第１収容空間（収容空間，第１収容空間）、
７２４ｂ…第２収容空間（収容空間，第２収容空間）、
７２５ａ…第１偏光板保護部（偏光板保護部）、
７２５ｂ…第２偏光板保護部（偏光板保護部）、
７３１ａ…第１供給口（供給口，第１供給口）、
７３２ａ…第１排出口（排出口，第１排出口）、
７３１ｂ…第２供給口（供給口，第２供給口）、
７３２ｂ…第２排出口（排出口，第２排出口）、
７４１…連結配管（連結部）、
７５１ａ…第１流路遮断部（流路遮断部，第１流路遮断部）、
７５１ｂ…第２流路遮断部（流路遮断部，第２流路遮断部）、
Ｌ…冷却液
【図１】
2006171300.tif 000003
【図２】
2006171300.tif 000004
【図３】
2006171300.tif 000005
【図４】
2006171300.tif 000006
【図５】
2006171300.tif 000007
【図６】
2006171300.tif 000008